(57)【特許請求の範囲】
【請求項１】
２段ベッド等の昇降用梯子に装着される手摺兼引掛金具であって、
前記昇降用梯子は、一対の木製側板を備えるものであり、
手摺兼引掛金具は、前記一対の木製側板の各一端側に取り付けられるものであり、
所定幅の金属製板材により形成され、直線状に延びる手摺形成部と、
前記手摺形成部の下方側に湾曲部を介して前記手摺形成部と一体的に設けられ、前記手摺形成部と平行になるように前記手摺形成部の下端が屈曲形成されて作られた下連結部と、
前記下連結部の前記手摺形成部と対向する面と反対面に備えられた取付面と、
前記取付面に溶接され、前記取付面から突出して位置決め突起として機能するナットと、
前記手摺形成部の上方側に湾曲部を介して前記手摺形成部と一体的に設けられた上連結部であって、当該上連結部は、水平方向に前記手摺形成部の後方側へと延びる水平延長部及び前記水平延長部の先端が下方へ鉤形に曲成された引掛部とを含み、前記水平延長部の途中部にボルト挿通孔が形成されている上連結部と、
を含むことを特徴とする手摺兼引掛金具。
【請求項２】
請求項１記載の手摺兼引掛金具が装着された２段ベッド等の昇降用梯子装置。
【発明の詳細な説明】
【技術分野】
【０００１】
この発明は、２段ベッド等の昇降用梯子に装着される手摺兼引掛金具に関する。
【背景技術】
【０００２】
２段ベッドの昇降時に使用する梯子や、屋内において高低差のある場所に随時移動させて使用する簡易タイプの梯子階段が、種々提案され、実用化されている。
たとえば特許文献１には、２段ベッドの昇降梯子として、梯子を上段ベッド本体に収納可能に構成したものが提案されている。
また、特許文献２には、側板を利用して手摺部を形成し、上り下り時に邪魔にならずしかも掴み易い手摺付き梯子階段が提案されている。
【０００３】
さらに特許文献３には、２段ベッドの側枠体に係止可能なフックを有する梯子が開示されている。
【先行技術文献】
【特許文献】
【０００４】
【特許文献１】特許第２６３１１７６号公報
【特許文献２】特開２００６−１４９６４２号公報
【特許文献３】特開２００９−２９７３８１号公報
【発明の概要】
【発明が解決しようとする課題】
【０００５】
従来の２段ベッドの昇降時に使用される昇降用梯子であって、梯子が木製で作られたものの場合、その上端に取付金具またはフックと呼ばれる金具が備えられている。そして、この金具によって梯子の上端部が２段ベッドの側枠等から外れないようにされている。（特許文献２および特許文献３を参照）
ところが、従来の昇降用梯子に備えられた取付金具やフックは、木製の梯子にビス（木ねじ）等で金具が固定されており、過度の外力が加わった時に、梯子（梯子の側板）から金具が外れる恐れがあるという課題があった。
【０００６】
また、取付金具やフックが、取付けの目的のためだけに設けられたものであり、梯子全体の形態としてより見栄えの良いものが望まれるという課題があった。
この発明は、このような課題を解決するためになされたものであり、簡易な構造で、安全性が向上し、しかも美観の良い梯子用の手摺兼引掛金具およびその金具を用いた２段ベッド等の昇降用梯子を提供することを主たる目的とする。
【課題を解決するための手段】
【０００７】
請求項１記載の発明は、２段ベッド等の昇降用梯子に装着される手摺兼引掛金具であって、前記昇降用梯子は、一対の木製側板を備えるものであり、手摺兼引掛金具は、前記一対の木製側板の各一端側に取り付けられるものであり、所定幅の金属製板材により形成され、直線状に延びる手摺形成部と、前記手摺形成部の下方側に湾曲部を介して前記手摺形成部と一体的に設けられ、前記手摺形成部と平行になるように前記手摺形成部の下端が屈曲形成されて作られた下連結部と、前記下連結部の前記手摺形成部と対向する面と反対面に備えられた取付面と、前記取付面に溶接され、前記取付面から突出して位置決め突起として機能するナットと、前記手摺形成部の上方側に湾曲部を介して前記手摺形成部と一体的に設けられた上連結部であって、当該上連結部は、水平方向に前記手摺形成部の後方側へと延びる水平延長部及び前記水平延長部の先端が下方へ鉤形に曲成された引掛部とを含み、前記水平延長部の途中部にボルト挿通孔が形成されている上連結部と、を含むことを特徴とする手摺兼引掛金具である。
【０００８】
請求項２記載の発明は、請求項１記載の手摺兼引掛金具が装着された２段ベッド等の昇降用梯子装置である。
【発明の効果】
【０００９】
この発明は、手摺兼引掛金具が金属で一体形成された構成であり、特に、手摺形成部と引掛部とが一体につながっている。そのため、梯子に装着された際に、梯子との一体感があり、見栄えの良い手摺兼引掛金具とすることができる。
しかも、下連結部におけるナットが梯子の側板に挿通されたボルトと螺合するため、手摺を引っ張る方向（梯子の側板から離す方向）へ大きな外力が加わっても、下連結部が梯子の側板から外れる虞れはない。
【００１０】
また、上連結部における梯子側板の上端と手摺兼引掛金具との連結も、係止ボルトが外力に対して直交方向に嵌まっているので、上連結部が梯子側板から外れる虞れもない。
従って、この発明によれば、安全性が高く、しかも見栄えのよい梯子用の手摺兼引掛金具およびその金具を用いた昇降用梯子を提供することができる。
【図面の簡単な説明】
【００１１】
【図１】図１は、この発明の一実施形態に係る手摺兼引掛金具１が装着された昇降用の梯子２０の要部構成を示す左部分側面図である。
【図２】図２は、この発明の一実施形態に係る手摺兼引掛金具１が装着された昇降用の梯子２０の上部を示す部分正面図である。
【図３】図３は、この発明の一実施形態に係る手摺兼引掛金具１が装着された昇降用の梯子２０の上部を示す部分背面図である。
【図４】図４は、この発明の一実施形態に係る手摺兼引掛金具１が装着された昇降用の梯子２０の部分平面図である。
【図５】図５は、手摺兼引掛金具１の芯体をなす金属フレーム１´の左側面図である。
【図６】図６は、手摺兼引掛金具１の芯体をなす金属フレーム１´の正面図である。
【図７】図７は、手摺兼引掛金具１の芯体をなす金属フレーム１´の底面図である。
【図８】図８は、図５に示す金属フレーム１´の表面を樹脂で覆った状態の手摺兼引掛金具１の左側面図である。
【図９】図９は、図６に示す金属フレーム１´の表面を樹脂で覆った状態の手摺兼引掛金具１の正面図である。
【図１０】図１０は、図７に示す金属フレーム１´の表面を樹脂で覆った状態の手摺兼引掛金具１の底面図である。
【発明を実施するための形態】
【００１２】
以下には、図面を参照して、この発明の実施形態について具体的に説明をする。
図１は、この発明の一実施形態に係る手摺兼引掛金具１が装着された昇降用の梯子２０の要部構成を示す左部分側面図である。図２は、当該梯子２０の上部を示す部分正面図である。図３は、当該梯子２０の上部を示す部分背面図である。図４は、当該梯子２０の部分平面図である。
【００１３】
図１〜４を参照して、梯子２０は、左右両側に一対の長手の側板２１を有し、一対の側板２１の間に一定間隔で踏み板２２が横設された構成をしている。踏み板２２には、必要に応じて、補強材２３で補強されていてもよい。
この実施形態に係る梯子２０の特徴は、一対の側板２１の上端側に手摺兼引掛金具１が設けられていることである。手摺兼引掛金具１は、金属で一体に形成されており、その表面が樹脂皮膜で覆われた構造をしている。
【００１４】
図１を参照して、手摺兼引掛金具１は、梯子側板２１の前縁面２１ｆと所定の間隔をあけ、側板２１の長さ方向（上下方向）に延びる直線状をした長手の手摺形成部２を有している。
手摺形成部２の下方側には、下連結部３が手摺形成部２と一体に形成されている。より具体的には、手摺形成部２の下端は湾曲部４とされ、手摺形成部２の下端が側板２１の前縁面２１ｆ方向に湾曲されている。そして、湾曲部４の先端がたとえば上方に略９０°屈曲されて、下連結部３が形成されている。
【００１５】
なお、下連結部３は、湾曲部４の先端が上方ではなく、下方へ略９０°屈曲されて形成されてもよい。
下連結部３は、その背面（前縁面２１ｆと対向する面）が、前縁面２１ｆに当接する取付面５を構成している。この取付面５にはナット６がたとえば溶接により固定されている。ナット６は取付面５から後方へ向かって突出しており、下連結部３を側板２１の前縁面２１ｆに対して位置決めするための位置決め突起としても機能する。前縁面２１ｆには、ナット６を受け入れるための受け入れ凹部２７が形成されている。
【００１６】
手摺形成部２の上側には、手摺形成部２と一体に上連結部７が延設されている。上連結部７は、手摺形成部２の上端に連続して形成された湾曲部８と、湾曲部８に連続して形成され、水平方向に後方側へと延びる水平延長部９と、水平延長部９の先端から鉤形に下方へ曲成された引掛部１０とを含んでいる。水平延長部９の長さ方向途中部には、側板２１の上縁面２１ｕに当接する位置に、係止ボルトを通すためのボルト挿通孔１１が形成されている。
【００１７】
手摺兼引掛金具１を梯子２０の側板２１に取り付ける作業は、次のように行われる。
下連結部３に対しては、側板２１の後縁面２１ｂ側に形成されたボルト頭埋設孔２４およびボルト孔２５にボルト２６が挿入され、その先端がナット６と螺合されることにより下連結部３は側板２１に固定される。
このように側板２１の後縁面２１ｂ側からボルト２６を挿入し、ボルト２６の先端を取付面５に固定されたナット６と螺合させる取付構造とすると、手摺形成部２に、手摺兼引掛金具１を側板２１から引き外そうとする方向（矢印Ｆ１の方向）に強い外力が加わっても、下連結部３はしっかりと側板２１に取り付けられており、外れる心配はない。
【００１８】
また、側板２１の上端近傍には予め係止ナットが埋め込まれている。そしてボルト挿通孔１１の上方から係止ボルトが嵌め込まれ、係止ナットが９０°回動されることにより、上連結部７は側板２１の上端と固定される。
上連結部７と側板２１との連結も、上下方向に係止ボルトが通った状態で連結されている。よって、この連結部分も、Ｆ１方向の外力に対して強い連結力を有している。
【００１９】
図５は、手摺兼引掛金具１の芯体をなす金属フレーム１´の左側面図、図６はその正面図、図７はその底面図である。
図５〜７により、手摺兼引掛金具１の芯体をなす金属フレーム１´の形状が詳しく理解できる。金属フレーム１´には、補強のために、その長手方向に延びるリブ１ａが形成されていてもよい。
【００２０】
図８、図９および図１０は、図５、図６および図７に示す金属フレーム１´の表面を樹脂（たとえば発泡ポリウレタン）で覆った状態の手摺兼引掛金具１の構成図である。手摺兼引掛金具１は、図５〜図７に示す金属芯１´に対してたとえばインジェクション成形によりその表面を樹脂モールドした構成とするのが好ましい。
この発明は、上述した実施形態に限定されるものではなく、請求項記載の範囲内において種々の変更が可能である。
【００２１】
たとえば、手摺兼引掛金具１における手摺形成部２は、この実施形態のものよりさらに長い構成としてもよい。
また、この発明の手摺兼引掛金具１は、２段ベッド用の梯子に限らず、屋内において高低差のある場所に随時移動させて使用する簡易タイプの梯子階段に対しても適用可能である。
【符号の説明】
【００２２】
１    手摺兼引掛金具
２    手摺形成部
３    下連結部
４    湾曲部
５    取付面
６    ナット
７    上連結部
８    湾曲部
９    水平延長部
１０    引掛部
１１    ボルト挿通孔
２０    梯子
２１    側板
２１ｆ    前縁面
２２    踏み板
【図１】
0006414395.tif 000002
【図２】
0006414395.tif 000003
【図３】
0006414395.tif 000004
【図４】
0006414395.tif 000005
【図５】
0006414395.tif 000006
【図６】
0006414395.tif 000007
【図７】
0006414395.tif 000008
【図８】
0006414395.tif 000009
【図９】
0006414395.tif 000010
【図１０】
0006414395.tif 000011